(57)【特許請求の範囲】
【請求項１】
磁性体をそれぞれ収容する一対のケース部と、前記一対のケース部を回動可能に連結するヒンジ部と、を有する磁性体保持ケースを備え、
前記磁性体を収容した両ケース部の電線挿通部間に電線を配置して前記磁性体保持ケースを閉じることにより、前記磁性体を電線の周囲に配置して前記電線に流れる雑音電流を吸収する雑音吸収具において、
前記一方のケース部には、前記電線挿通部の周囲から、前記磁性体保持ケースを閉じた場合の他方のケース部に向かって、前記電線の位置ずれを防止する電線保持部材を立設するとともに、前記他方のケース部の外側には、前記雑音吸収具を他の部材に着脱可能に固定する固定部を、前記他方のケース部の外方向に向かって、前記ケース部の軸方向と略垂直の平面の方向に張り出すように立設した構成を備え、
前記固定部は、
前記他方のケース部から外方向に突出する突出部と、
前記突出部の前記他の部材に面する対向面である底板から突出するとともに、前記他の部材に嵌合して結合する第１固定用突起及び第２固定用突起からなる結合部と、
を備え、
更に、前記底板の前記第１固定用突起側端部から前記結合部の突出方向の斜めに伸びる一対の押圧板を備えたことを特徴とする雑音吸収具。
【請求項２】
前記磁性体保持ケースは、前記固定部と前記他方のケース部とを一体に形成したもの、又は別体の部材である前記固定部と前記他方のケース部とを結合して一体化したものであることを特徴とする前記請求項１に記載の雑音吸収具。
【請求項３】
前記固定部は、前記雑音吸収具が前記他の部材に対して着脱自在な固定構造を有していることを特徴とする前記請求項１又は２に記載の雑音吸収具。
【請求項４】
前記突出部は、前記ケース部の軸方向の両側に、作業者の指による挟持が可能な平板状の挟持部をそれぞれ備えたことを特徴とする前記請求項１〜３のいずれかに記載の雑音吸収具。
【請求項５】
前記請求項１〜４のいずれかに記載の雑音吸収具に用いられることを特徴とする磁性体保持ケース。
【発明の詳細な説明】
【０００１】
【発明の属する技術分野】
本発明は、電子機器等の電線に外嵌され、電線がアンテナとなって拾う雑音電流、或は外部で発生し電線を介して電子機器に流れ込む雑音電流等を吸収する雑音吸収具及び磁性体保持ケースに関する。
【０００２】
【従来の技術】
従来、電線に流れる雑音を吸収する機器として、電線の周囲に磁性体であるフェライトを外嵌させ、このフェライトにより電線に流れる雑音電流を吸収する雑音吸収具（いわゆるフェライトクランプ）が知られている。
【０００３】
この種の雑音吸収具としては、プラスチック製の磁性体保持ケース（クランプケース）にフェライトを固定したものがある。具体的には、例えば筒状のフェライトを軸方向に半分に分割したものを、ヒンジにより連結された一対のケース部に嵌め込み、電線をその両側からケース部ごとフェライトで挟んで、雑音吸収具自体を電線の途中に取り付けるものが用いられている。
【０００４】
そして、雑音吸収具を例えばバラの電線に取り付ける場合には、雑音吸収具の位置が電線に沿ってずれないように電線を一方のケース部に巻き付けている。
【０００５】
【発明が解決しようとする課題】
しかしながら、前記の様な雑音吸収具を電線に取り付ける場合には、特にケース部のサイズが小さいと、雑音吸収具が略円筒形状であることもあって、電線をケース部に巻き付ける際に、雑音吸収具を持つことが容易ではなかった。
【０００６】
そのため、電線を巻く作業が簡単ではないという問題があった。特に手袋をしている場合には、一層作業に手間がかかっていた。
本発明は、雑音吸収具のケース部に電線を巻く作業を容易に行うことができる雑音吸収具及び磁性体保持ケースを提供することを目的とする。
【０００７】
【課題を解決するための手段及び発明の効果】
（１）請求項１の発明は、磁性体をそれぞれ収容する一対のケース部と、前記一対のケース部を回動可能に連結するヒンジ部と、を有する磁性体保持ケースを備え、前記磁性体を収容した両ケース部の電線挿通部間に電線を配置して前記磁性体保持ケースを閉じることにより、前記磁性体を電線の周囲に配置して前記電線に流れる雑音電流を吸収する雑音吸収具において、前記一方のケース部には、前記電線挿通部の周囲から、前記磁性体保持ケースを閉じた場合の他方のケース部に向かって、前記電線の位置ずれを防止する電線保持部材を立設するとともに、前記他方のケース部の外側には、前記雑音吸収具を他の部材に着脱可能に固定する固定部を、前記他方のケース部の外方向に向かって、前記ケース部の軸方向と略垂直の平面の方向に張り出すように立設した構成を備え、前記固定部は、前記他方のケース部から外方向に突出する突出部と、前記突出部の前記他の部材に面する対向面である底板から突出するとともに、前記他の部材に嵌合して結合する第１固定用突起及び第２固定用突起からなる結合部と、を備え、更に、前記底板の前記第１固定用突起側端部から前記結合部の突出方向の斜めに伸びる一対の押圧板を備えたことを特徴とする雑音吸収具を要旨とする。
【０００８】
本発明では、他方のケース部の外側に、雑音吸収具を他の部材（例えば機器の筐体や壁面など）に固定する固定部を、他方のケース部の外方向に向かって、ケース部の軸方向と略垂直の平面の方向に張り出すように立設している。
従って、例えば電線保持部材を設けた一方のケース部に対して、その電線挿通部に例えばバラの電線を配置して、当該ケース部の周囲に電線を巻き付ける場合には、固定部を持って電線を巻き付けることができる。
【０００９】
つまり、本発明では、固定部がケース部の外側から、ケース部の軸方向と略垂直の平面の方向に張り出すように、外側に向かって立設されて、取っ手として好適に利用できる（即ち固定部が取っ手としての機能を有する）ので、電線の巻き付け作業が容易になる。
また、固定部にて雑音吸収具を保持できるので、雑音吸収具が例えば円柱状の様な保持し難い形状であっても、しっかりと雑音吸収具を保持できるという効果がある。
【００１０】
特に、雑音吸収具のサイズが小さい場合には、雑音吸収具が保持し難く、そのため電線を巻き付ける作業が容易ではないが、本発明では、固定部を取っ手として好適に利用できるので、電線の巻き付け作業が容易である。
また、本発明では、固定部を用いることにより、雑音吸収具を、例えば各種の機器の筐体や壁面などに、容易に固定することができる。
更に、本発明では、他方のケース部から外方向に突出部が突出しているので、この突出部を持って電線を巻き付けることができる。また、突出部の対向面の底板から（第１固定用突起及び第２固定用突起からなる）結合部が突出しているので、この結合部にて雑音吸収具を他の部材に取り付けることができる。
【００１１】
（２）請求項２の発明では、前記磁性体保持ケースは、前記固定部と前記他方のケース部とを一体に形成したもの、又は別体の部材である前記固定部と前記他方のケース部とを結合して一体化したものであることを特徴とする前記請求項１に記載の雑音吸収具を要旨とする。
【００１２】
本発明は、雑音吸収具（詳しくは磁性体保持ケース）の構造を例示したものである。
ここでは、固定部と他方のケース部としては、例えばプラスチックの射出成形などの技術により、一体に形成されたものが挙げられる。又は、固定部と他方のケース部とが、それぞれ別の工程（同様な射出形成など）にて形成され、その別体の部材である固定部と他方のケース部とが、例えば機械的に結合されて一体化されたものが挙げられる。
【００１３】
尚、両方のケース部は、（ヒンジを含んで）一体に形成されているものが挙げられるが、別体に形成された各ケース部を機械的に結合してもよい。
（３）請求項３の発明では、前記固定部は、前記雑音吸収具が前記他の部材に対して着脱自在な固定構造を有していることを特徴とする前記請求項１又は２に記載の雑音吸収具を要旨とする。
【００１４】
本発明では、固定部は着脱自在な固定構造を有しているので、雑音吸収具を機器の筐体などの他の部材に取り付けた場合でも、容易に他の部材から取り外すことができる。
【００１７】
（４）請求項４の発明では、前記突出部は、前記ケース部の軸方向の両側に、作業者の指による挟持が可能な平板状の挟持部をそれぞれ備えたことを特徴とする前記請求項１〜３のいずれかに記載の雑音吸収具を要旨とする。
本発明では、突出部（従って固定部）の両側に平板状の一対の挟持部を備えているので、電線を巻き付ける場合には、作業者の指で挟持部を挟持できる。そのため、固定部がより持ち易く、よって、電線を巻き付ける作業がより一層容易である。
【００１８】
（５）請求項５の発明は、前記請求項１〜４のいずれかに記載の雑音吸収具に用いられることを特徴とする磁性体保持ケースを要旨とする。
本発明は、磁性体を収容するための磁性体保持ケースを示している。本発明の磁性体保持ケースのケース部に磁性体を収容した雑音吸収具は、上述した様に、電線を巻き付ける作業が容易であるので好適である。
【００１９】
【発明の実施の形態】
次に、本発明の雑音吸収具及び磁性体保持ケースの実施の形態の例（実施例）について説明する。
（実施例）
以下に本発明の実施例を図面と共に説明する。
【００２０】
図１は実施例の雑音吸収具を示し、図２及び図３は磁性体保持ケースを示している。このうち、図２（ａ）は磁性体保持ケースの上面図，図２（ｂ）はその正面図、図３（ａ）はケース本体の上面図、図３（ｂ）は図３（ａ）におけるＢ−Ｂ断面図、図３（ｃ）はその右側面図である。
【００２１】
ａ）図１に示す様に、本実施例の雑音吸収具（フェライトクランプ）１は、磁性体保持ケース（クランプケース）３に、磁性体である１対のフェライト５ａ、５ｂを収容したものである。
各フェライト５ａ、５ｂは、磁性体保持ケース３を閉じたときに、電線７の周囲を囲む様に、厚肉の円筒のフェライト部材をその中心軸を含む平面に沿って切断した半円筒形状である。
【００２２】
前記磁性体保持ケース３は、フェライト５ａ、５ｂを収容して電線７に取り付けられるケース本体９（図３参照）に、雑音吸収具１自身を例えば他の機器の筐体に固定するための固定部１１を嵌め込んで結合することにより一体としたものである。このうち、ケース本体９は、第１ケース部１３ａ及び第２ケース部１３ｂが一対のヒンジ１５ａ、１５ｂを介して接続された部材であり、固定部１１は、第１ケース部１３ａの外側に取り付けられた部材である。
【００２３】
図２に磁性体保持ケース３を示す様に、第１、第２ケース部１３ａ、１３ｂは、薄肉の円筒が中心軸を含む平面に沿って切断された形状（略舟形）の箱体であり、これらのケース部１３ａ、１３ｂ内に、各々前記フェライト５ａ、５ｂが嵌め込まれる。
【００２４】
第１，第２ケース部１３ａ、１３ｂの軸方向（図２（ａ）の上下方向）の両端には、軸方向と垂直に板状の壁部１７ａ〜１７ｄが設けられている。この壁部１７ａ〜１７ｄには、磁性体保持ケース３を閉じた時に略円形の貫通孔となる半円状の開口部１９ａ〜１９ｄが各々設けられており、各壁部１７ａ〜１７ｄの内側には、フェライト５ａ、５ｂを固定する固定突起２１ａ〜２１ｄが設けられている。
【００２５】
前記フェライト５ａ，５ｂの両端部には、固定突起２１ａ〜２１ｄと嵌合する固定凹部（図示せず）が形成されており、このフェライト５ａ，５ｂが、各ケース部１３ａ、１３ｂ内に押し込まれることにより、固定突起２１ａ〜２１ｄと固定凹部とが嵌め合って、フェライト５ａ、５ｂが固定される。
【００２６】
尚、磁性体保持ケース３が開いている場合には、半円形の開口部１９ａ〜１９ｄにより半円形の電線挿通部が構成されるが、この電線挿通部は、磁性体保持ケース３が閉じたときには、向かい合う半円形の開口部１９ａ〜１９ｄ同士が一体となって円形の形状となる。
【００２７】
また、第１ケース部１３ａの両壁部１７ａ、１７ｂの内側には、両開口部１９ａ、１９ｂの両側端から（図２（ｂ）の）上方に向かって、各一対の電線保持部材２３ａ〜２３ｄがそれぞれ対向して立設されている。この電線保持部材２３ａ〜２３ｄは、例えばバラの電線７が横方向にずれないようにその位置を規定するための部材であり、これにより、磁性体保持ケース３を閉じた際に、電線７が電線挿通部から外れて両ケース部１３ａ、１３ｂの壁部１７ａ〜１７ｄの端部に挟まれることを防止している。
【００２８】
前記第１ケース部１３ａのカーブする外壁２５ａの上端部には、凸状の係止フック２７が突設され、一方、反対側の第２ケース部１３ｂの外壁２５ｂの上端部には、四角形の係止枠２９が設けられている。この係止フック２７と係止枠２９は、磁性体保持ケース３が閉ざされた場合に、互いに係止して、磁性体保持ケース３が開かないように結合するものである。
【００２９】
前記係止枠２９の周囲の外壁２５ａには、図３に示す様に、係止枠２９を囲む様に、略コの字状の枠体３１が前記軸方向（図３（ａ）の上下方向）と直交する方向（図３（ａ）の右方向）に突設されている。この枠体３１の下板３１ａには、前記固定部１１を接続するための短冊状の接続孔３１ｂが設けられるとともに、固定部１１の接続が容易な様に切れ目３１ｃが設けてある。
【００３０】
特に、本実施例では、前記図１及び図２に示す様に、第２ケース部１３ｂのヒンジ１５ａ、１５ｂと反対側の外壁２５ｂの表面に、後述する固定部１１が配置されており、この固定部１１は、（第２ケース部１３ｂと一体に接続されることにより）磁性体保持ケース３の軸方向と垂直方向に突出している。
【００３１】
ｂ）次に、前記固定部１１の構成について、図４及び図５に基づいて説明する。
尚、図４（ａ）は固定部の上面図、図４（ｂ）はその正面図、図４（ｃ）はその底面図、図４（ｄ）はその左側面図、図４（ｅ）はその右側面図、図５は図２のＡ−Ａ断面の一部を拡大して示した説明図である。
【００３２】
図４に示す様に、固定部１１は、他の機器の筐体に当接する（対向面３３ａを有する）底板３３と、底板３３の両側から上方に立設された一対の側板３５ａ、３５ｂ（図４（ｅ）参照）と、両側板３５ａ、３５ｂ間を接続する様に底板３３から立設された中央板３７（図４（ｅ）参照）と、中央板３７より左側にて底板３３から上方に立設された接続用突起３９（図４（ｂ）参照）と、底板３３から下方に立設された第１固定用突起４１及び第２固定用突起４３（図４（ｂ）参照）と、底板３３の右端から斜め下方に伸びる一対の押圧板４５ａ、４５ｂ（図４（ｂ）参照）とを備えている。
【００３３】
尚、底板３３、側板３５ａ、３５ｂ、中央板３７、接続用突起３９により突出部が構成され、第１固定用突起４１、第２固定用突起４３により結合部が構成され、側板３５ａ、３５ｂにより挟持部が構成されている。
前記接続用突起３９は、図５（ａ）に示す様に、固定部１１を第２ケース部１３ｂ（従ってケース本体９）に接続するためのものであり、その先端部３９ａは、断面が矢じり状となっている。従って、接続用突起３９の先端部３９ａを、第２ケース部１３ｂの接続孔３１ｂに嵌め込むことにより、固定部１１とケース本体９とを接続して一体化することができる。
【００３４】
尚、図５（ｂ）に示す様に、接続孔３１ｂに嵌め込まれた先端部３９ａは、その後側（同図の下側）の段部３９ｂが枠体３１の下板３１ａに係止して、先端部３９ａの脱落が防止されるとともに、下板３１ａは、段部３９ｂと両側板３５ａ、３５ｂから内側に張り出す凸部４７ａ、４７ｂ（図４参照）に挟まれて、固定部１１が確実にケース本体９に結合される。
【００３５】
また、第１固定用突起４１及び第２固定用突起４３は、図５（ｂ）に示す様に、それらを筐体４９の固定孔５１ａ、５１ｂに嵌め込んだ場合に、雑音吸収具１が脱落しない様に、その先端が左右方向に張り出している。このうち、特に第１固定用突起４１は、弾性を有する略Ｕ字状に湾曲した板材からなり、板材の手がけ部４１ａを同図の左方向に押圧することにより、雑音吸収具１を筐体４９から外すことが可能である。
【００３６】
尚、本実施例では、磁性体保持ケース３は、合成樹脂から形成されており、係止フック２７、係止枠２９、接続用突起３９、第１固定用突起４１などには、適度な弾性が与えられている。
ｃ）次に、この様な構成の雑音吸収具１の使用方法を、図６に基づいて説明する。
【００３７】
まず、図６（ａ）に示す様に、雑音吸収具１を開いた状態で、固定部１１の両側の側板（挟持部）３５ａ、３５ｂを指で挟み、第１ケース部１３ａの開口部１９ａ、１９ｂに電線７を配置するようにして、即ち左右の電線保持部２３ａ〜２３ｄの間の半円形の電線挿通部Ｄに電線７を配置するようにして、電線７を第１ケース部１３ａの回りに例えば１回巻く。
【００３８】
次に、図６（ｂ）に示す様に、第１ケース部１３ａに電線７を巻いた状態で、雑音吸収具１を閉じて、第１ケース部１３ａの係止フック２７を第２ケース部１３ｂの係止枠２９に係止する。
これにより、円形の電線挿通部Ｄ内に電線７が配置されるとともに、雑音吸収具１自体が、電線７に取り付けられたことになる。
【００３９】
次に、図６（ｃ）に示す様に、電線７に雑音吸収具１が取り付けられた状態で、雑音吸収具１の固定部１１の第１固定用突起４１及び第２固定用突起４３を、機器の筐体４９の固定孔５１ａ、５１ｂに、それぞれ嵌め込む。
これにより、電線７が電線挿通部Ｄに通された雑音吸収具１が、機器の筐体４９に取り付けられたことになる。
【００４０】
ｄ）この様に本実施例では、雑音吸収具１から外方向に突出するように固定部１１を設けているので、この固定部１１の例えば両側板３５ａ、３５ｂを指で挟むようにして持つことができる。
そのため、雑音吸収具１のサイズが小さい場合でも、また、（雑音吸収具１を閉じた場合の）ケース本体９の外形が保持しにくい円筒の形状であっても、しっかりと固定部１１を保持して、第１ケース部１３ａの回りに容易に電線７を巻くことができる。特に、手袋をしている場合には、電線７を巻く作業が極めて容易になる。
【００４１】
また、雑音吸収具１の固定部１１により、電線７が巻かれた雑音吸収具１自身を、機器の筐体４９などに容易に且つ確実に固定することができる。尚、第１固定用突起４１の手がけ部４１ａを押圧することにより、雑音吸収具１を筐体４９などから取り外すこともできる。
【００４２】
尚、本発明は前記実施の形態に何等限定されるものではなく、本発明の要旨を逸脱しない範囲で種々の形態で実施することができる。
（１）例えば、磁性体のフェライトとしては、ハードフェライト、ソフトフェライトのいずれも使用でき、フェライトそのもの以外にも、フェライトなどの磁性体の粉末をプラスチックや合成ゴムと混ぜて成形したプラスチックの磁石やゴム磁石等も同様に使用できる。更に、フェライト以外にも、パーマロイ，サーマロイ等の各種の磁性体を使用できる。
【００４３】
（２）また、磁性体がケース部内に収容されているため、ケース部が絶縁体の役割をするので、磁性体として、けい素鋼等の導電体も使用できる。
（３）更に、本実施例では、１本の電線７を雑音吸収具１に巻き付ける例について説明したが、複数の電線（バラの電線）の場合にも適用できることは勿論である。
【図面の簡単な説明】
【図１】本実施例の雑音吸収具の開いた状態を示す斜視図である。
【図２】本実施例の磁性体保持ケースを示し、（ａ）はその上面図、（ｂ）はその正面図である。
【図３】本実施例のケース本体を示し、（ａ）はその上面図、（ｂ）は（ａ）のＢ−Ｂ断面図、（ｃ）はその右側面図である。
【図４】本実施例の固定部を示し、（ａ）はその上面図、（ｂ）はその正面図、（ｃ）はその底面図、（ｄ）はその左側面図、（ｅ）はその右側面図である。
【図５】本実施例のケース本体と固定部の接続状態を示し、（ａ）はその接続前の状態を示す説明図、（ｂ）はその接続後の状態を示す説明図である。
【図６】本実施例の雑音吸収具の使用方法を示し、（ａ）は電線まく状態を示す説明図、（ｂ）は雑音吸収具を閉じた状態を示す説明図、（ｃ）は雑音吸収具を筐体に取り付けた状態を示す説明図である。
【符号の説明】
１…雑音吸収具
３…磁性体保持ケース
５ａ、５ｂ…フェライト
７…電線
９…ケース本体
１１…固定部
１３ａ…第１ケース部
１３ｂ…第２ケース部
【図１】
0003556172.tif 000002
【図２】
0003556172.tif 000003
【図３】
0003556172.tif 000004
【図４】
0003556172.tif 000005
【図５】
0003556172.tif 000006
【図６】
0003556172.tif 000007